(57)【特許請求の範囲】
【請求項１】
中空柱内に挿入されるガイド棒を中空柱の中心軸に固定的に設定するためにガイド棒が挿通される中心孔が真中に形成され、中空柱の中央に配設される中央部から等角度で中空柱の内周面に向かって伸縮可能に伸長する長さが等しい複数の腕部を有するガイド棒固定用冶具において前記腕部を延長するために腕部を構成する固定長腕部と伸縮可能腕部との間に取り付けられるガイド棒固定用冶具の腕部の延長部材であって、
基端部が前記中央部に取り付けられている固定長腕部の中空柱の内周面に向かう先端部に連結される連結部と、
この連結部と一体に形成され、中空柱の内周面に向かう先端がフォーク状に２つに分岐して形成されるフォーク部を有し、前記伸縮可能腕部を該フォーク部内に挟み伸縮可能に保持する取付部と
を有することを特徴とするガイド棒固定用冶具の延長部材。
【請求項２】
前記取付部は、中空柱の内周面に向かう細長い細長部と中空柱の内周面に向かう方向に沿って細長く前記細長部に形成され、前記伸縮可能腕部の中空柱の内周面に向かう伸長動作を可能とする長穴とを有し、この長穴を介して前記伸縮可能腕部が前記取付部に対して伸縮可能に伸長し得るように取り付けられることを特徴とする請求項１記載のガイド棒固定用冶具の延長部材。
【請求項３】
前記取付部は、前記連結部寄りの端部上に上方に突出した引掛け部を有することを特徴とする請求項１または２のいずれかに記載のガイド棒固定用冶具の延長部材。
【請求項４】
中空柱内に挿入されるガイド棒を中空柱の中心位置に配設するために中空柱の中央部から等角度で中空柱の内周面に向かう長さが等しい複数の腕部を有するガイド棒固定用冶具であって、
前記腕部は、
前記ガイド棒が挿通される中心孔が真中に形成される中央部に設けられる固定長腕部と、
先端部が伸縮可能に構成されると共に該先端部が前記中空柱の内周面に向かって伸長するように付勢される伸縮可能腕部と、
前記固定長腕部と前記伸縮可能腕部との間に嵌挿され、前記固定長腕部の中空柱の内周面に向かう先端部に連結される連結部と、この連結部と一体に形成され、中空柱の内周面に向かう先端がフォーク状に２つに分岐して形成されるフォーク部を有し、前記伸縮可能腕部を該フォーク部内に挟み伸縮可能に保持する取付部を有して前記腕部の全長を伸長する延長部材と
を有することを特徴とするガイド棒固定用治具。
【請求項５】
前記固定長腕部と伸縮可能腕部との間に設けられる延長部材は、中空柱の内径に応じて複数用いられることを特徴とする請求項４記載のガイド棒固定用冶具。
【発明の詳細な説明】
【技術分野】
【０００１】
本発明は、例えばコンクリート製電柱や鋼管柱等の中空柱内に挿入されるガイド棒を中空柱内の中心軸に固定的に設定するためのガイド棒固定用治具の延長部材およびこの延長部材を用いたガイド棒固定用治具に関し、更に詳しくは、ガイド棒固定用冶具を構成する複数の腕部の長さを調整して中空柱の内径に適合するように各腕部を構成する固定長腕部と伸縮可能腕部との間に取り付けられる延長部材およびこの延長部材を用いたガイド棒固定用冶具に関する。
【背景技術】
【０００２】
コンクリート製の電柱は、通常、外周部が鉄筋とコンクリートにより作製される筒状の中空柱であり、その内部は空洞、すなわち中空となっている。このような中空のコンクリート製電柱を補強するために、電柱の内部に棒状部材を複数本挿入してから、これらの棒状部材の隙間に例えば豆砂利や砕石を投入し、更にモルタルやコンクリートなどを順次投入し、補強している。
【０００３】
複数の棒状部材は、コンクリート製電柱を補強するために電柱内に均等に配置されうるように中空柱用補強材配置調整治具などを用いて電柱内に挿入される。このような中空柱用補強材配置調整治具は、その中心が中空柱の中心軸に配置されるように中心にガイド孔が形成され、このガイド孔にガイド棒が挿通される。
【０００４】
このガイド棒は、コンクリート製電柱などの中空柱の中心に配置することが必要であるが、ガイド棒を中空柱の中心に配置するためにガイド棒固定用冶具が使用されている（特許文献１参照）。このガイド棒固定用冶具は、ガイド棒が挿通される中心孔が真中に形成された中央部から複数の伸縮可能な腕部が等角度で中空柱の内周面に向かって伸長し、この伸長した複数の腕部が中空柱の内周面に当接することにより、すなわち長さが同じ複数の腕部が伸長して中空柱の内周面に当接し、同じ長さで突っ張ることにより、中央部が中空柱の中心に位置するように設定され、ひいては、この中央部の中心孔に挿通されたガイド棒が中空柱の中心に設定されるようになっている。
【先行技術文献】
【特許文献】
【０００５】
【特許文献１】特願２００９−１０３２２９号公報
【発明の概要】
【発明が解決しようとする課題】
【０００６】
上述した従来のガイド棒固定用冶具は、複数の腕部の長さが固定されたものであるため、直径が大きな中空柱には使用することができないという問題があるとともに、また種々様々な直径の中空柱に使用できるようにするには、種々様々な直径に合った大きさのガイド棒固定用冶具を複数種類作成しておくことが必要となり、非効率的であるとともに複数種類を在庫しなければならず、非経済的であるし、この在庫のなかにも適切な大きさのガイド棒固定用冶具がない場合には、緊急に製造しなければならないという問題がある。
【０００７】
本発明は、上記に鑑みてなされたもので、その目的とするところは、どのような直径の中空柱にも適用できるようなガイド棒固定用冶具を構成する延長部材およびこの延長部材を用いたガイド棒固定用冶具を提供することにある。
【課題を解決するための手段】
【０００８】
上記課題を達成するため、請求項１記載のガイド棒固定用冶具の延長部材は、中空柱内に挿入されるガイド棒を中空柱の中心軸に固定的に設定するためにガイド棒が挿通される中心孔が真中に形成され、中空柱の中央に配設される中央部から等角度で中空柱の内周面に向かって伸縮可能に伸長する長さが等しい複数の腕部を有するガイド棒固定用冶具において前記腕部を延長するために腕部を構成する固定長腕部と伸縮可能腕部との間に取り付けられるガイド棒固定用冶具の腕部の延長部材であって、基端部が前記中央部に取り付けられている固定長腕部の中空柱の内周面に向かう先端部に連結される連結部と、この連結部と一体に形成され、中空柱の内周面に向かう先端がフォーク状に２つに分岐して形成されるフォーク部を有し、前記伸縮可能腕部を該フォーク部内に挟み伸縮可能に保持する取付部とを有することを要旨とする。
【０００９】
請求項１記載のガイド棒固定用冶具の延長部材では、固定長腕部の先端に延長部材の連結部を連結し、伸縮可能腕部を取付部の先端がフォーク状に２つに分岐して形成されるフォーク部で挟み伸縮可能に保持する延長部材を、固定長腕部と伸縮可能腕部との間に取り付けて、ガイド棒固定用冶具の腕部を延長可能に構成するため、延長部材の取り付けによりガイド棒固定用冶具の腕部の長さを長くしたり、可変できるように調整することができ、１種類のガイド棒固定用冶具でどのような直径の中空柱にも適用でき、種々様々な直径に合った大きさのガイド棒固定用冶具を複数種類作成しておくことが必要なくなり、効率的であるとともに複数種類の在庫も不要となり、経済化を図ることもでき、更に在庫のなかに適切な大きさのガイド棒固定用冶具がない場合には、緊急に製造しなくても、延長部材をいくつか連結することにより、中空柱の直径に合った最適な長さの腕部を有するガイド棒固定用冶具を作成することができる。
【００１０】
請求項２記載のガイド棒固定用冶具の延長部材は、前記取付部が、中空柱の内周面に向かう細長い細長部と中空柱の内周面に向かう方向に沿って細長く前記細長部に形成され、前記伸縮可能腕部の中空柱の内周面に向かう伸長動作を可能とする長穴とを有し、この長穴を介して前記伸縮可能腕部が前記取付部に対して伸縮可能に伸長し得るように取り付けられることを要旨とする。
【００１１】
請求項２記載のガイド棒固定用冶具の延長部材にあっては、取付部が長穴の形成された細長部に形成され、長穴を介して伸縮可能腕部が取付部に対して伸縮可能に伸長することができる。
【００１４】
請求項３記載のガイド棒固定用冶具の延長部材は、前記取付部が、前記連結部寄りの端部上に上方に突出した引掛け部を有することを要旨とする。
【００１５】
請求項３記載のガイド棒固定用冶具の延長部材にあっては、取付部の連結部寄りの端部上に上方に突出した引掛け部を有するため、この引掛け部を利用して、小さめの輪ゴムでも縮退付勢手段として利用することができる。
【００１６】
請求項４記載の延長部材を用いたガイド棒固定用治具は、中空柱内に挿入されるガイド棒を中空柱の中心位置に配設するために中空柱の中央部から等角度で中空柱の内周面に向かう長さが等しい複数の腕部を有するガイド棒固定用冶具であって、前記腕部は、前記ガイド棒が挿通される中心孔が真中に形成される中央部に設けられる固定長腕部と、先端部が伸縮可能に構成されると共に該先端部が前記中空柱の内周面に向かって伸長するように付勢される伸縮可能腕部と前記固定長腕部と前記伸縮可能腕部との間に嵌挿されて腕部材の全長を伸長する延長部材とを有することを要旨とする。
【００１７】
請求項４記載の延長部材を用いたガイド棒固定用治具にあっては、固定長腕部と伸縮可能腕部との間に延長部材を取り付けて、ガイド棒固定用冶具の腕部を構成するため、延長部材の取り付けによりガイド棒固定用冶具の腕部の長さを長くしたり、可変できるように調整することができ、１種類のガイド棒固定用冶具でどのような直径の中空柱にも適用でき、種々様々な直径に合った大きさのガイド棒固定用冶具を複数種類作成しておくことが必要なくなり、効率的であるとともに複数種類の在庫も不要となり、経済化を図ることもでき、更に在庫のなかに適切な大きさのガイド棒固定用冶具がない場合には、緊急に製造しなくても、延長部材をいくつか連結することにより、中空柱の直径に合った最適な腕部を有するガイド棒固定用冶具を作成することができる。
【００１８】
請求項５記載の延長部材を用いたガイド棒固定用冶具は、前記固定長腕部と伸縮可能腕部との間に取り付けられる延長部材が、中空柱の内径に応じて複数用いられることを要旨とする。
【００１９】
請求項５記載の延長部材を用いたガイド棒固定用冶具にあっては、延長部材は中空柱の内径に応じて複数用いることができるため、延長部材の数によりガイド棒固定用冶具の腕部の長さを長くしたり、可変できるように調整することができ、どのような直径の中空柱にも適用できる。
【発明の効果】
【００２０】
本発明によれば、固定長腕部の先端に延長部材の連結部を連結し、伸縮可能腕部に延長部材の取付部の先端を取り付けるというように固定長腕部と伸縮可能腕部との間に延長部材を取り付けて、ガイド棒固定用冶具の腕部を延長可能に構成するので、延長部材の取り付けによりガイド棒固定用冶具の腕部の長さを長くしたり、可変できるように調整することができ、１種類のガイド棒固定用冶具でどのような直径の中空柱にも適用でき、種々様々な直径に合った大きさのガイド棒固定用冶具を複数種類作成しておくことが必要なくなり、効率的であるとともに複数種類の在庫も不要となり、経済化を図ることもでき、更に在庫のなかに適切な大きさのガイド棒固定用冶具がない場合には、緊急に製造しなくても、延長部材をいくつか連結することにより、中空柱の直径に合った最適な腕部を有するガイド棒固定用冶具を作成することができる。
【図面の簡単な説明】
【００２１】
【図１】本発明の一実施例に係わる延長部材を示す斜視図である。
【図２】図１に示す延長部材を２個連結して示す斜視図である。
【図３】図２に示すように連結された２個の延長部材を用いて構成されたガイド棒固定用冶具の腕部を示す斜視図である。
【図４】図３に示したように延長部材を用いて延長された腕部を４本用いて構成されたガイド棒固定用冶具を用いてガイド棒をコンクリート製電柱などの中空柱の中心に設定した様子を示す斜視図である。
【図５】図４に示したガイド棒固定用冶具において固定長腕部の引掛け部と伸縮可能腕部の引掛け部との間に輪ゴムを引っ掛けて伸縮可能腕部を縮退した状態を示す斜視図である。
【図６】本発明の他の実施形態に係わるガイド棒固定用冶具の延長部材を示す斜視図である。
【図７】図６に示す延長部材を２個連結して構成されるガイド棒固定用冶具の腕部を示す図３と同じ斜視図である。
【図８】図７に示す腕部を４本用いて構成されたガイド棒固定用冶具を用いてガイド棒をコンクリート製電柱などの中空柱の中心に設定する様子を示す図５と同じ斜視図である。
【発明を実施するための形態】
【００２２】
以下、図面を用いて、本発明を実施するための形態(以下、実施形態と称する)を説明する。
【００２３】
図１は、本発明の一実施例に係わる延長部材を示す斜視図である。同図に示す延長部材１００は、連結部１と取付部３とから構成されている。連結部１は、少し厚手の板状部材で構成され、その中程に長手方向に沿って長穴１ａが形成されている。連結部１は、長穴１ａを利用して、図示しないガイド棒固定用冶具の腕部の固定長腕部に取り付けられるが、また他の延長部材１００の取付部３にも取り付けることができる。
【００２４】
取付部３は、先端、すなわち連結部１が設けられていない側の先端がフォーク状に２つに分岐したフォーク部３ａに形成され、このフォーク部３ａを構成する２つの板状部材の中程には長手方向に沿って長穴３ｂがそれぞれ形成されている。また、取付部３は、連結部１に続く他端には、２個の穴３ｃ、３ｄが形成されているが、これらの穴３ｃ、３ｄの一方は、後述するように伸長付勢手段を構成するワイヤ性圧縮ばねの一端を取り付けるためのものである。
【００２５】
図１に示すように構成される延長部材１００は、図２に示すように、２つの延長部材１００ａ、１００ｂを連結することができる。すなわち、一方の延長部材１００ａの連結部１を他方の延長部材１００ｂの取付部３のフォーク部３ａに嵌合することにより両者を連結し、全体の長さを長くすることができる。また、このように一方の延長部材の連結部１を他方の延長部材の取付部３のフォーク部３ａに嵌合して連結した後、この連結した部分の両者の長穴１ａ、３ｂにボルトなどを通して締め付けることにより両者が外れないように固定することができる。なお、図２では、延長部材１００を２個連結した場合について示し説明したが、連結する延長部材１００は２個に限らず、同様の方法で３個以上でも可能である。
【００２６】
図３は、図２に示すように連結された２個の延長部材１００ａ、１００ｂを用いて構成されたガイド棒固定用冶具の腕部を示す斜視図である。同図に示す腕部３０は、ガイド棒固定用冶具の中央部に取り付けられる固定長腕部３１と、腕部の伸縮可能な先端を構成する伸縮可能腕部３３と、この固定長腕部３１と伸縮可能腕部３３との間に取り付けられた２個の連結された延長部材１００ａ、１００ｂとから構成されている。なお、この連結された２個の延長部材１００ａ、１００ｂは、延長部材１００ｂの長穴３ｂと延長部材１００ａの長穴１ａとを貫通する２本のねじ５１、５３で固定されている。
【００２７】
更に詳しくは、上述したように連結された２個の延長部材１００ａ、１００ｂのうち、一方の延長部材１００ａの取付部３のフォーク部３ａに同形状の二枚の部材を重ねて形成された伸縮可能腕部３３が嵌め込むように取り付けられるとともに、伸縮可能腕部３３の長穴３３ａと延長部材１００ａの取付部３の長穴３ｂの両方を貫通するようにねじ４１が取り付けられ、このねじ４１を基軸に伸縮可能腕部３３が中空柱の内周面に向かう方向に長穴３３ａ、３ｂに沿って伸縮可能に保持されている。また、中空柱の内周面に向かう伸縮可能腕部３３の先端と反対の他端には穴（図示せず）が形成されているが、この穴に対して延長部材１００ａの長穴３ｂを貫通したねじ４３が取り付けられ、すなわちこのねじ４３は延長部材１００ａの３ｂを貫通して伸縮可能腕部３３の他端の穴に固定的に取り付けられている。
【００２８】
そして、このねじ４３には、伸長付勢手段を構成するワイヤ性圧縮ばね４５の一端が取り付けれている。このワイヤ性圧縮ばね４５の他端は、延長部材１００ａの取付部３の他端に形成された２個の穴３ｃ、３ｄのうちの一方の穴３ｃ（図２）に取り付けられたねじ４７に取り付けられ、このワイヤ製圧縮ばね４５の伸長力により伸縮可能腕部３３を中空柱の内周面に向かって伸長するように付勢している。
【００２９】
また、固定長腕部３１は、中空柱の中央部に取り付けられる基端部と反対側の自由先端部がフォーク状に２つに分岐して形成されたフォーク部３１ａに他方の延長部材１００ｂの連結部１が嵌合し、この嵌合した連結部１の長穴１ａ（図２）と固定長腕部３１のフォーク部３１ａに形成された長穴３１ｂの両長穴を貫通して２本のねじ５５、５７が取り付けられ、これにより延長部材１００ｂは固定長腕部３１に固定されている。なお、固定長腕部３１の基端部には、ガイド棒固定用冶具の中央部に着脱自在に取り付けるための着脱取付凸部３１ｃが形成されている。
【００３０】
更に、図３に示すように、固定長腕部３１の基端部の上には引掛け部３１ｄが上方に突出して形成され、また伸縮可能腕部３３の他端の上にも引掛け部３３ｄが上方に突出して形成されているが、この２つの引掛け部３１ｄと引掛け部３３ｄとの間に縮退付勢手段である輪ゴムを引っ掛けると、伸縮可能腕部３３は、ワイヤ性圧縮ばね４５の伸長力に抗して固定長腕部３１の方に引っ張られて縮退し、腕部３０は、全体として短くなるようになっている。そして、このように輪ゴムにより伸縮可能腕部３３が縮退して、腕部３０が全体的に短くなっている状態において、この輪ゴムを切断すると、伸縮可能腕部３３は、ワイヤ性圧縮ばね４５の伸長力によって伸長し、伸縮可能腕部３３の先端は中空柱の内周面に当接して突っ張ることになる。
【００３１】
図４は、図３に示したように延長部材１００ａ、１００ｂを用いて延長された腕部３０を４本用いて構成されたガイド棒固定用冶具２００を用いてガイド棒６１をコンクリート製電柱などの中空柱６３の中心に設定した様子を示す斜視図である。
【００３２】
図４に示すように、ガイド棒固定用冶具２００は、円形の中央部７１を有し、この中央部７１の中心孔７１ａにガイド棒６１が挿通されている。また、中央部７１には、その円周方向に等角度で４本の腕部３０がそれぞれの着脱取付凸部３１ｃを介して着脱自在に取り付けられている。
【００３３】
このように構成されるガイド棒固定用冶具２００の中央部７１の中心孔７１ａにガイド棒６１を中空柱６３内において挿通すると、ガイド棒６１は、ガイド棒固定用冶具２００の中央部７１から等角度で中空柱６３の内周面に向かう４本の腕部３０の先端の伸縮可能腕部３３がワイヤ性圧縮ばね４５の伸長力により伸長して、中空柱６３の内周面に当接して突っ張るため、すなわちガイド棒６１は４本の腕部３０による四方からのワイヤ性圧縮ばね４５の伸長力による中空柱６３の内周面に対する突っ張りにより中空柱６３の中心に対して押圧されることになるため、ガイド棒６１は、中空柱６３の中心に設定されることになる。
【００３４】
更に、図５を参照して、詳しく説明する。図４に説明したように、４本の腕部３０を有するガイド棒固定用冶具２００をその中央部７１にガイド棒６１を挿通しながら中空柱６３内に入れるには、まず図５に示すように、各腕部３０の固定長腕部３１の引掛け部３１ｄと伸縮可能腕部３３の引掛け部３３ｄとの間に縮退付勢手段である輪ゴム８１をそれぞれ引っ掛ける。このように輪ゴム８１を引っ掛けると、各腕部３０の先端の伸縮可能腕部３３は、ワイヤ性圧縮ばね４５の伸長力に抗してガイド棒固定用冶具２００の中央部７１に向かう方向に、すなわち矢印３００で示す方向に移動して縮退し、各腕部３０は短くなる。
【００３５】
このように各腕部３０が短くなると、ガイド棒固定用冶具２００を中空柱６３内に入れても、各腕部３０の先端は中空柱６３の内周面にもぶつからないため、ガイド棒固定用冶具２００の中央部７１の中心孔７１ａにガイド棒６１を挿通しながら中空柱６３の所望の位置まで移動させることができる。それから、各腕部３０の引掛け部３１ｄ、３３ｄに引っ掛けた輪ゴム８１をすべて鋏などで切断する。輪ゴム８１が切断されると、各腕部３０は、それぞれの先端の伸縮可能腕部３３に一端が取り付けられたワイヤ性圧縮ばね４５の伸長力により伸縮可能腕部３３が中空柱６３の内周面に向かって、すなわち図４において矢印４００で示す方向に伸長し、その先端は図４に示すように中空柱６３の内周面に当接し、これにより上述したようにガイド棒６１は、中空柱６３の中心に設定されることになる。
【００３６】
上述したように、ガイド棒固定用冶具２００を構成する腕部３０に延長部材１００を用いて、腕部３０の長さを長くしたり、可変できるようにすることにより、１種類のガイド棒固定用冶具でどのような直径の中空柱にも適用できるようになり、種々様々な直径に合った大きさのガイド棒固定用冶具を複数種類作成しておくことが必要なくなり、効率的であるとともに複数種類の在庫も不要となり、経済化を図ることもでき、更に在庫のなかに適切な大きさのガイド棒固定用冶具がない場合には、緊急に製造しなくても、延長部材１００をいくつか連結することにより、中空柱の直径に合った最適な長さの腕部を有するガイド棒固定用冶具を作成することができる。
【００３７】
なお、上記実施形態では、延長部材１００を２個連結した場合について図示し説明しているが、延長部材の連結は２個に限らず、３個以上でもよいし、逆に１個でもよいし、直径が小さい中空柱の場合には、延長部材を用いず、固定長腕部３１のフォーク部３１aに伸縮可能腕部３３を嵌合させるだけでもよいものである。
【００３８】
図６は、本発明の他の実施形態に係わるガイド棒固定用冶具の延長部材を示す斜視図である。同図に示す延長部材１０１は、図１に示した延長部材１００において取付部３の他端の上に突出した引掛け部９１を設けたことが異なるものであり、その他の構成は、図１の延長部材１００と同じであり、同じ構成要素には同じ符号を付している。
【００３９】
図７は、図６に示す延長部材１０１を２個連結して構成されるガイド棒固定用冶具の腕部を示す図３と同じ斜視図である。なお、図７に示す腕部１３０は、延長部材が引掛け部９１のない延長部材１００（１００ａ、１００ｂ）から引掛け部９１のある２個の延長部材１０１ａ、１０１ｂに変更されたこと以外は、図３に示す腕部３０の構成と同じであり、同じ構成要素には同じ符号を付している。
【００４０】
図８は、図７に示す腕部１３０を４本用いて構成されたガイド棒固定用冶具２０１を用いてガイド棒６１をコンクリート製電柱などの中空柱６３の中心に設定する様子を示す図５と同じ斜視図である。
【００４１】
図８においては、図５における固定長腕部３１の引掛け部３１ｄと異なって、各腕部１３０の一方の延長部材１０１ｂの引掛け部９１と伸縮可能腕部３３の引掛け部３３ｄとの間に縮退付勢手段である輪ゴム９３をそれぞれ引っ掛けてある。このように輪ゴム９３を引っ掛けることにより、図５の場合と同様に、各腕部１３０の先端の伸縮可能腕部３３は、ワイヤ性圧縮ばね４５の伸長力に抗してガイド棒固定用冶具２０１の中央部７１に向かう方向に移動して縮退し、各腕部１３０は短くなる。
【００４２】
このように各腕部１３０が短くなってから、ガイド棒固定用冶具２０１の中央部７１の中心孔７１ａにガイド棒６１を挿通しながら中空柱６３の中を所望の位置まで移動させ、それから各腕部１３０の引掛け部９１、３３ｄに引っ掛けた輪ゴム９３を鋏などで切断すると、各腕部１３０は、ワイヤ性圧縮ばね４５の伸長力により伸縮可能腕部３３が中空柱６３の内周面に向かって伸長し、その先端は中空柱６３の内周面に当接し、これによりガイド棒６１は中空柱６３の中心に設定されることになる。
【００４３】
なお、上述したように、固定長腕部３１の引掛け部３１dの代わりに延長部材１００に設けられた引掛け部９１を用い、この引掛け部９１と伸縮可能腕部３３の引掛け部３３dとの間に輪ゴム９３を引っ掛けることにより、中空柱６３の直径が非常に大きく、従って固定長腕部３１の引掛け部３１dと伸縮可能腕部３３の引掛け部３３dとの間の長さもかなり長くなって、通常の輪ゴムを引っ掛けることが簡単ではないような場合に、延長部材１００の引掛け部９１を用いて、この引掛け部９１と伸縮可能腕部３３の引掛け部３３dとの間に輪ゴム９３を引っ掛けることにより、引掛け部の間の長さが短くなり、輪ゴムを簡単に引っ掛けることができるようになる。
【符号の説明】
【００４４】
1  連結部
3  取付部
３ａ  フォーク部
３ｂ  長穴
３０、１３０  腕部
３１  固定長腕部
３１ａ  フォーク部
３１ｄ  引掛け部
３３  伸縮可能腕部
３３ａ  長穴
３３ｄ  引掛け部
４５  ワイヤ性圧縮ばね
６１  ガイド棒
６３  中空柱
７１  中央部
７１ａ  中心孔
８１、９３  輪ゴム
９１  引掛け部
１００、１００ａ、１００ｂ、１０１  延長部材
２００、２０１  ガイド棒固定用冶具
【図１】
0005380274.tif 000002
【図２】
0005380274.tif 000003
【図３】
0005380274.tif 000004
【図４】
0005380274.tif 000005
【図５】
0005380274.tif 000006
【図６】
0005380274.tif 000007
【図７】
0005380274.tif 000008
【図８】
0005380274.tif 000009